【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
記憶媒体に格納されているデータを再生する再生手段の操作を行うための操作メニュ−
を表示し、操作手段を介して所望の操作ボタンを選択させる再生装置において、
再生されているデータの種別を判別するデータ種別判別手段と、
該データ種別判別手段により判別された前記データの種別に応じた操作メニューを表示
させるデータ種別メニュー表示手段とを備えていることを特徴とする再生装置。
【請求項２】
前記データ種別判別手段が、再生されているデータが映像情報であるか、メニュー情報
であるかを判別するものであることを特徴とする請求項１記載の再生装置。
【請求項３】
前記データ種別判別手段が、前記操作手段による所定操作が検出された場合に前記デー
タの種別を判別するものであることを特徴とする請求項１又は請求項２記載の再生装置。
【請求項４】
前記操作メニューの操作履歴を記録する操作履歴記録手段を備え、
前記データ種別メニュー表示手段が、記録された操作履歴情報に基づいて、操作頻度の
高い操作ボタンを含む操作メニューを優先して表示させるものであることを特徴とする請
求項１〜３のいずれかの項に記載の再生装置。
【請求項５】
前記データの種別に応じた操作メニューが表示された後、前記操作ボタンの選択が所定
時間検出されなかった場合に、表示されている前記操作メニューを消去する操作メニュー
消去手段を備えていることを特徴とする請求項１〜４のいずれかの項に記載の再生装置。
【請求項６】
記憶媒体に格納されているデータを再生する再生手段により前記記憶媒体から読み出さ
れて表示されたメニュー画面の選択ボタンを選択させる再生装置において、
画面上で指定された位置を検出する位置検出手段から位置情報を取得する位置情報取得
手段と、
取得した前記位置情報と前記選択ボタンの配置情報とに基づいて、選択された前記選択
ボタンを判別する選択ボタン判別手段とを備えていることを特徴とする再生装置。
【請求項７】
画面上における押圧強度を検出する押圧強度検出手段から押圧情報を取得する押圧情報
取得手段と、
取得した前記押圧情報に基づいて、前記選択ボタンの選択位置を移動させるか、前記選
択ボタンを確定させるかを判断する移動・確定操作判断手段とを備えていることを特徴と
する請求項６記載の再生装置。
【請求項８】
画面上に表示される位置表示手段と、
該位置表示手段を移動させる操作と前記位置表示手段の位置を確定させる操作とを行う
ための移動・確定操作手段と、
該移動・確定操作手段から移動・確定操作情報を取得する移動・確定操作情報取得手段
と、
取得した前記移動・確定操作情報に基づいて、前記選択ボタンの選択位置を移動させる
か、前記選択ボタンを確定させるかを判断する移動・確定操作判断手段とを備えているこ
とを特徴とする請求項６記載の再生装置。
【請求項９】
前記位置検出手段から位置情報を取得した場合に、前記メニュー画面が表示されている
か否かを判断する表示判断手段と、
該表示判断手段により前記メニュー画面が表示されていないと判断された場合、前記再
生手段の操作を行うための操作メニュ−を表示させる操作メニュー表示手段とを備えてい
ることを特徴とする請求項６〜８のいずれかの項に記載の再生装置。
【請求項１０】
記憶媒体に格納されているデータを再生する再生手段の操作を行うための操作メニュ−
を表示する操作メニュー表示方法であって、
再生されているデータの種別を判別するステップと、
該判別された前記データの種別に応じた操作メニューを表示させるステップとを含むこ
とを特徴とする操作メニュー表示方法。
【手続補正２】
【補正対象書類名】明細書
【補正対象項目名】全文
【補正方法】変更
【補正の内容】
【発明の詳細な説明】
【発明の名称】再生装置、及び操作メニュー表示方法
【技術分野】
【０００１】
本発明は再生装置、及び操作メニュー表示方法に関し、より詳細にはＤＶＤ（Digital 
Versatile Disc）などの記憶媒体に格納されているデータを再生する再生装置、及び該装
置の各種操作を行うための操作メニュー表示方法に関する。
【背景技術】
【０００２】
車載用のナビゲーションシステムやオーディオシステムなどの車載用ＡＶ機器では、近
年マルチメディア化が進み、ＣＤやＤＶＤなどの複数のメディアに対応した再生装置が内
蔵されるようになってきている。このような車載用ＡＶ機器では、車室内に設けられた液
晶表示装置などの表示手段にＤＶＤビデオなどの映像を映し出して、映画などを楽しむこ
とができる。
【０００３】
ＤＶＤビデオには、高画質の映像情報や高音質の音声情報の他に各種のメニュー画面を
作成するためのメニュー情報がデータとして格納されており、再生装置は、ＤＶＤビデオ
から読み出したメニュー情報を画面に表示させて、ユーザにメニュー画面の選択ボタンを
選択させることにより、その選択ボタンに割り当てられた内容を実行することができるよ
うになっている。また、ＤＶＤビデオには、マルチアングル機能、マルチストーリ機能な
どの独自の機能が付加できるようになっており、これら機能のメニュー画面が表示された
ときの再生方法なども提案されている（例えば下記の特許文献１参照）。
【０００４】
また、このような車載用ＡＶ機器の中には、液晶表示装置の画面上に操作性に優れたタ
ッチパネルが配設されたものもあり、該タッチパネルを介して画面に表示されたボタンを
タッチ操作することにより、ナビゲーション装置、オーディオ装置、あるいは再生装置な
どの各種設定や選択などの操作が行えるようになっている。
【０００５】
次に、タッチパネルを使用した従来のＤＶＤビデオのメニュー画面の操作方法について
、図９に示した画面表示例に基づいて説明する。
ＤＶＤビデオのメニュー情報がディスクから読み出されると、まず図９（ａ）に示した
ＤＶＤメニュー画面が表示される。このＤＶＤメニュー画面の選択ボタン（再生開始や音
声選択など）を選択操作する場合、この画面の状態では操作できないので、まず画面上の
タッチパネルをタッチする。すると図９（ｂ）に示した第１層目の操作メニューが画面下
部に表示される。
【０００６】
第１層目の操作メニューには、十字矢印ボタン、設定ボタン、メニューボタン、トップ
メニューボタン、アングルボタン、字幕ボタン、音声ボタン、次ボタンなどの各種の機能
を設定するための複数の操作ボタンが含まれているが、ＤＶＤメニュー画面の選択ボタン
を操作するための操作ボタンは含まれておらず、ユーザは、さらに十字矢印ボタンをタッ
チしなければならない。
【０００７】
十字矢印ボタンをタッチすると図９（ｃ）に示した第２層目の操作メニューが表示され
、第２層目の操作メニューには、ＤＶＤメニュー画面の選択ボタンを選択したり、確定す
るための上下左右の各矢印ボタンや決定ボタンが含まれている。この第２層目の操作メニ
ューの矢印ボタンを必要に応じてタッチ入力し、選択されていることを示すハイライト表
示を移動させて、所望とする選択ボタンにハイライト表示を移動させた後に決定ボタンを
入力することにより、ハイライト表示させた選択ボタンの内容が実行されるようになって
いる。
【０００８】
このように操作メニューを画面に表示させて、タッチパネルを介してＤＶＤビデオの各
種操作が行えるようにすれば、リモコンが必要なく、また、表示装置の前面パネル枠に多
くの操作ボタンを設ける必要もなくなるといったメリットがある。
【０００９】
しかしながら、表示画面に数多くの操作ボタンを含む操作メニューを１度に表示させよ
うとすると、ＤＶＤビデオの画像表示領域が小さくなってしまう。特に、車載用ＡＶ機器
などでは、大きな表示画面を設けることが困難なためその傾向が顕著に現れる。そのため
操作メニューを複数の階層構造にする必要があり、目的とする操作ボタンを画面に表示さ
せるまでに、操作メニューを複数回切り替えなければならない場合も多く、選択操作が煩
雑になるという課題があった。
【特許文献１】特開２００２−２４７４９９号公報
【発明の開示】
【課題を解決するための手段及びその効果】
【００１０】
本発明は上記課題に鑑みなされたものであって、操作性を向上させることのできる再生
装置、及び操作メニュー表示方法を提供することを目的としている。
【００１１】
上記目的を達成するために本発明に係る再生装置（１）は、記憶媒体に格納されている
データを再生する再生手段の操作を行うための操作メニュ−を表示し、操作手段を介して
所望の操作ボタンを選択させる再生装置において、再生されているデータの種別を判別す
るデータ種別判別手段と、該データ種別判別手段により判別された前記データの種別に応
じた操作メニューを表示させるデータ種別メニュー表示手段とを備えていることを特徴と
している。
【００１２】
上記再生装置（１）によれば、再生されているデータの種別を判別し、判別された該デ
ータの種別に応じた前記操作メニューが自動的に表示されるので、操作メニューを切り替
えなくても所望とする操作を行うことが可能となり、所望とする操作メニューを表示させ
るまでの操作回数を少なくすることができ、前記操作メニューの操作性の向上を図ること
ができる。
【００１３】
また本発明に係る再生装置（２）は、上記再生装置（１）において、前記データ種別判
別手段が、再生されているデータが映像情報であるか、メニュー情報であるかを判別する
ものであることを特徴としている。
【００１４】
上記再生装置（２）によれば、再生されているデータが映像情報であるか、メニュー情
報であるかが判別されるので、前記映像情報に応じた操作メニューや、前記メニュー情報
に応じた操作メニューを最初に表示させることができ、各情報に応じた操作メニューを表
示させるまでの煩雑な操作を解消することができ、前記操作メニューの操作性を向上させ
ることができる。
【００１５】
また本発明に係る再生装置（３）は、上記再生装置（１）又は（２）において、前記デ
ータ種別判別手段が、前記操作手段による所定操作が検出された場合に前記データの種別
を判別するものであることを特徴としている。
【００１６】
上記再生装置（３）によれば、前記操作手段による所定操作が検出された場合に前記デ
ータの種別が判断されるので、前記所定操作が検出された場合をユーザが前記操作メニュ
ーを必要としている時とみなして、前記データの種別に対応した操作メニューを表示させ
ることができ、ユーザの必要性に応じた前記操作メニューの表示を行うことができる。
【００１７】
また本発明に係る再生装置（４）は、上記再生装置（１）〜（３）のいずれかにおいて
、前記操作メニューの操作履歴を記録する操作履歴記録手段を備え、前記データ種別メニ
ュー表示手段が、記録された操作履歴情報に基づいて、操作頻度の高い操作ボタンを含む
操作メニューを優先して表示させるものであることを特徴としている。
【００１８】
上記再生装置（４）によれば、前記操作履歴情報に基づいて、操作頻度の高い操作ボタ
ンを含む前記操作メニューが優先して表示されるので、例えば、データの種別に応じた前
記操作メニューが、複数の階層構造を有していたとしても、ユーザが良く使用する操作ボ
タンを含む操作メニューを第１層目に表示させることができ、前記操作メニューの操作性
の向上を図ることができる。
【００１９】
また本発明に係る再生装置（５）は、上記再生装置（１）〜（４）のいずれかにおいて
、前記データの種別に応じた操作メニューが表示された後、前記操作ボタンの選択が所定
時間検出されなかった場合に、表示されている前記操作メニューを消去する操作メニュー
消去手段を備えていることを特徴としている。
【００２０】
上記再生装置（５）によれば、前記操作メニューが表示された後、前記操作ボタンの選
択が所定時間検出されない場合には、前記操作メニューが自動的に画面上から消去される
ので、ユーザが前記操作メニューを消去する操作を行う必要がなくなり、操作回数を減ら
すことができる。
【００２１】
また本発明に係る再生装置（６）は、記憶媒体に格納されているデータを再生する再生
手段により前記記憶媒体から読み出されて表示されたメニュー画面の選択ボタンを選択さ
せる再生装置において、画面上で指定された位置を検出する位置検出手段から位置情報を
取得する位置情報取得手段と、取得した前記位置情報と前記選択ボタンの配置情報とに基
づいて、選択された前記選択ボタンを判別する選択ボタン判別手段とを備えていることを
特徴としている。
【００２２】
上記再生装置（６）によれば、前記位置検出手段から位置情報を取得して、該位置情報
と前記選択ボタンの配置情報とに基づいて、選択された前記選択ボタンが判別されるので
、画面に表示された前記メニュー画面の選択ボタンを前記位置検出手段を通じて直接選択
することができ、前記メニュー画面の操作性をさらに向上させることができる。
【００２３】
また本発明に係る再生装置（７）は、上記再生装置（６）において、画面上における押
圧強度を検出する押圧強度検出手段から押圧情報を取得する押圧情報取得手段と、取得し
た前記押圧情報に基づいて、前記選択ボタンの選択位置を移動させるか、前記選択ボタン
を確定させるかを判断する移動・確定操作判断手段とを備えていることを特徴としている
。
【００２４】
上記再生装置（７）によれば、前記押圧強度検出手段から押圧情報を取得し、該押圧情
報に基づいて、前記選択ボタンの選択位置を移動させるか、前記選択ボタンを確定させる
かが判断されるので、前記選択ボタンの選択位置を移動させたり、前記選択ボタンを確定
させる操作を簡単かつ確実に行うことができ、前記メニュー画面における操作性を向上さ
せることができる。
【００２５】
また本発明に係る再生装置（８）は、上記再生装置（６）において、画面上に表示され
る位置表示手段と、該位置表示手段を移動させる操作と前記位置表示手段の位置を確定さ
せる操作とを行うための移動・確定操作手段と、該移動・確定操作手段から移動・確定操
作情報を取得する移動・確定操作情報取得手段と、取得した前記移動・確定操作情報に基
づいて、前記選択ボタンの選択位置を移動させるか、前記選択ボタンを確定させるかを判
断する移動・確定操作判断手段とを備えていることを特徴としている。
【００２６】
上記再生装置（８）によれば、前記移動・確定操作手段から前記移動・確定操作情報を
取得し、該移動・確定操作情報に基づいて、前記選択ボタンの選択位置を移動させるか、
前記選択ボタンを確定させるかが判断されるので、前記選択ボタンの選択位置を移動させ
たり、前記選択ボタンを確定させる操作を簡単かつ確実に行うことができ、メニュー画面
における操作性を向上させることができる。
【００２７】
また本発明に係る再生装置（９）は、上記再生装置（６）〜（８）のいずれかにおいて
、前記位置検出手段から位置情報を取得した場合に、前記メニュー画面が表示されている
か否かを判断する表示判断手段と、該表示判断手段により前記メニュー画面が表示されて
いないと判断された場合、前記再生手段の操作を行うための操作メニュ−を表示させる操
作メニュー表示手段とを備えていることを特徴としている。
【００２８】
上記再生装置（９）によれば、前記表示判断手段により前記メニュー画面が表示されて
いないと判断された場合には、前記再生手段の操作を行うための操作メニュ−が表示され
るので、該操作メニュ−を通じて前記再生手段の操作が行えることとなり、前記メニュー
画面以外の画面における操作も前記操作メニューを通じて支障なく行うことができる。
【００２９】
また本発明に係る操作メニュー表示方法は、記憶媒体に格納されているデータを再生す
る再生手段の操作を行うための操作メニューを表示する操作メニュー表示方法であって、
再生されているデータの種別を判別するステップと、該判別された前記データの種別に応
じた操作メニューを表示させるステップとを含むことを特徴としている。
【００３０】
上記操作メニュー表示方法によれば、再生されているデータの種別を判別し、判別され
た該データの種別に応じた前記操作メニューを自動的に表示するので、操作メニューを切
り替えなくても所望とする操作を行うことが可能となり、所望とする操作メニューを表示
させるまでの操作回数を少なくすることができ、前記操作メニューの操作性の向上を図る
ことができる。
【発明を実施するための最良の形態】
【００３１】
以下、本発明に係る再生装置、及び操作メニュー表示方法の実施の形態を図面に基づい
て説明する。図１は、実施の形態（１）に係るディスク再生装置の要部を概略的に示した
ブロック図である。
【００３２】
ディスク再生装置１０は、メインマイコン１１、操作メニュー情報記憶部１２、ディス
クコントローラ１３、ＡＶデコーダ１４、オーディオ回路１５、表示コントローラ１６、
及びビデオ回路１７を含んで構成されている。
【００３３】
メインマイコン１１は、ディスク再生装置１０の各部を制御するためのものであり、制
御ライン１８を介して操作メニュー情報記憶部１２とディスクコントローラ１３とＡＶデコーダ１４と表示コントローラ１６とに接続されている。
【００３４】
ディスクコントローラ１３は、メインマイコン１１からの制御信号に応じて映像情報や
メニュー情報がデータとして格納されているＤＶＤビデオディスク（以下、ディスクと記
す）２０から必要なデータを読み出し、ＡＶデコーダ１４に出力する制御を行うようにな
っている。
【００３５】
ＡＶデコーダ１４では、ディスクコントローラ１３の制御によりディスク２０から読み
込まれたデータのＭＰＥＧ変換などのデコード処理が行なわれ、ディジタルの映像信号や
音声信号に変換されるようになっている。変換されたディジタル音声信号は、オーディオ
回路１５に出力されて、アナログの音声信号に変換され、スピーカ２１に供給されるよう
になっている。また変換されたディジタル映像信号は、表示コントローラ１６を介してビ
デオ回路１７に出力され、アナログの映像信号に変換されて、ディスプレイ２２に供給さ
れるようになっている。また、ビデオメモリ１９がＡＶデコーダ１４に接続されており、
ＡＶデコーダ１４の機能を実現するために使用されるようになっている。
【００３６】
表示コントローラ１６は、メインマイコン１１からの制御信号に応じて、ディスプレイ
２２に表示する画像の各種制御や、ディスク再生装置１０の各種操作を行うための複数の
操作ボタンを含む操作メニューをディスプレイ２２に表示する処理などを行うようになっ
ている。
【００３７】
操作メニュー情報記憶部１２には、ディスク２０に格納されているデータの種別（映像
情報やメニュー情報など）に応じた操作メニューの情報（例えば、映像再生画面用の各種
操作メニューや各種メニュー画面用の操作メニューなど）が記憶されるようになっており
、メインマイコン１１の制御に応じて、所定の操作メニューの情報が読み出され、表示コ
ントローラ１６へ出力されるようになっている。
【００３８】
メインマイコン１１は、ＣＰＵ、ＲＡＭ、及びＲＯＭ（いずれも図示せず）を含んで構
成されており、ディスクコントローラ１３を制御してディスク２０から読み出されたデー
タを取り込み、再生されているデータが映像情報であるか、メニュー情報であるかを判別
する処理（データ種別判別手段）や、判別されたデータの種別（映像情報又はメニュー情
報）に応じた操作メニューの情報を操作メニュー情報記憶部１２から読み出してディスプ
レイ２２に表示させる処理（データ種別メニュー表示手段）などを行うようになっている
。また、前記操作メニューを表示させた後、操作ボタンが入力されるまでの時間をメイン
マイコン１１の有するタイマー機能を用いてカウントし、所定時間内に操作ボタンの入力
がない場合には、操作メニューを自動的に消去する処理（操作メニュー消去手段）も行う
ようになっている。
【００３９】
また、ディスプレイ２２の前面に操作手段としてのタッチパネル２３が配設されており
、メインマイコン１１に接続されている。タッチパネル２３は、押圧圧力の変化により操
作位置を検出する透明のシートスイッチなどにより構成され、ディスプレイ２２に表示さ
れた操作メニューの操作ボタン等の選択操作が可能となっている。
【００４０】
次に、実施の形態（１）に係るディスク再生装置１０の動作について説明する。図２は
、ディスク再生装置１０における操作メニューの表示状態を示す説明図であり、（ａ）は
、ＤＶＤメニュー画面が表示されたときに最初に表示される操作メニューの画面表示例、
（ｂ）は、映像再生画面が表示されたときに最初に表示される操作メニューの画面表示例
を示している。
【００４１】
ＤＶＤメニュー画面が表示された場合（例えば、ディスク２０をディスク再生装置１０
にセットした後に自動的にＤＶＤメニュー画面が表示される場合や、ユーザがＤＶＤメニ
ュー画面を読み出す操作を行った場合など）には、図２（ａ）に示したようにＤＶＤメニ
ュー表示領域の下にＤＶＤメニュー画面用の操作メニュー（すなわち、ＤＶＤメニュー画
面の選択ボタンを選択するための上下左右の各矢印ボタンと、選択された選択ボタンの確
定操作を行うための決定ボタンとを含む操作メニュー）が最初に表示されるようになって
いる。
【００４２】
また、映像画面が表示された場合（例えば、ディスク２０をディスク再生装置１０にセ
ットした後に自動的に映像の再生が開始された場合や、ＤＶＤメニュー画面において、再
生開始の選択ボタンが選択されて映像の再生が開始された場合など）には、図２（ｂ）に
示したように再生されている映像表示領域の下に映像画面用の操作メニューが最初に表示
されるようになっている。
【００４３】
次に実施の形態（１）に係るディスク再生装置１０におけるメインマイコン１１の行う
操作メニューの表示処理動作を図３に示したフロ−チャ−トに基づいて説明する。
まずステップＳ１では、ディスク２０から読み出したデータ（ＤＶＤのナビゲーション
情報）に基づいて、再生されているデータを判別し、再生されているデータがメニュー情
報である（すなわち、ＤＶＤメニュー画面が表示されている）と判断すればステップＳ２
に進む。ステップＳ２では、図２（ａ）に示したＤＶＤメニュー画面用の操作メニューを
画面に表示させる処理を行い、その後ステップＳ４に進む。
【００４４】
一方ステップＳ１において、再生されているデータが映像情報である（すなわち、映像
再生画面が表示されている）と判断すればステップＳ３に進み、ステップＳ３では、図２
（ｂ）に示した映像画面用の操作メニューを画面に表示させる処理を行い、その後ステッ
プＳ４に進む。
【００４５】
ステップＳ４では、所定時間内に表示された操作メニューの操作ボタンの入力があった
か否かを判断し、所定時間内に操作ボタンの入力がなかったと判断すればステップＳ５に
進み、ステップＳ５では、操作メニューを消去する処理を行い、その後処理を終了する。
一方、ステップＳ４において、所定時間内に操作ボタンの入力があったと判断すれば、入
力された操作ボタンの内容を実行する処理を行い、その後処理を終了する。
【００４６】
上記実施の形態（１）に係るディスク再生装置１０によれば、ＤＶＤメニュー画面が表
示されているときには、自動的にＤＶＤメニュー画面に応じた操作メニューが第１層目に
表示されるので、従来のようにＤＶＤメニュー画面に応じた操作メニューを読み出すまで
の煩雑なボタン操作が必要なくなり、前記操作メニューにより所望とするＤＶＤメニュー
の選択ボタンの選択をすぐに行うことができ、操作メニューの操作性の向上を図ることが
できる。
【００４７】
また、操作メニューが表示された後、操作ボタンの選択が所定時間検出されない場合に
は、前記操作メニューが自動的に画面上から消去されるので、ユーザが前記操作メニュー
を消去する操作をわざわざ行う必要がなくなり、操作回数を減らすことができる。
【００４８】
次に実施の形態（２）に係るディスク再生装置について説明する。但し実施の形態（２
）に係るディスク再生装置１０Ａについては、メインマイコン１１Ａと、操作メニュー情
報記憶部１２Ａとを除いて図１に示したディスク再生装置１０と同様であるため、ここで
は異なる機能を有するメインマイコン１１Ａと、操作メニュー情報記憶部１２Ａとには異
なる符号を付して、その他の構成部品の説明を省略する。
【００４９】
実施の形態（１）に係るディスク再生装置１０では、ＤＶＤメニュー画面や映像再生画
面に切り換えられる毎に、これら各画面に応じた操作メニューが表示されるようになって
いるが、必ずしもユーザにとって操作メニューの表示が必要とは限らない。そこで、実施
の形態（２）に係るディスク再生装置１０Ａでは、ユーザが操作メニューの表示を要求し
たときに各画面に応じた操作メニューが表示されるとともに、各操作メニューの操作履歴
を記録しておき、前記操作メニューを表示させる際には、記録された操作履歴情報に基づ
き、操作頻度の高い操作ボタンを有する階層の操作メニューが第１層目に表示されるよう
になっている。
【００５０】
操作メニュー情報記憶部１２Ａには、データの種別に応じた操作メニューの情報ととも
に、各操作メニューの操作履歴情報、すなわち、表示された操作メニューで操作された操
作ボタンの操作回数などの情報が記録されるようになっている。
【００５１】
メインマイコン１１Ａでは、タッチパネル２３を介したディスプレイ２２へのタッチ操
作を検出した場合に、ユーザが操作メニューの表示を要求しているものと判断し、データ
の種別を判別する（すなわち、ディスプレイ２２に再生されているデータが映像情報かメ
ニュー情報かを判別する）処理や、判別されたデータの種別（映像情報又はメニュー情報
）に応じた操作メニューを操作メニュー情報記憶部１２Ａから読み出し、ディスプレイ２
２に表示させる処理を行うようになっている。なお、表示させる操作メニューが、複数の
階層を有している場合、記録された操作履歴情報に基づいて、操作頻度の高い操作ボタン
を含む操作メニューを優先して（すなわち、第１層目に）表示させるようになっている。
【００５２】
次に、実施の形態（２）に係るディスク再生装置１０Ａの動作について説明する。図４
は、複数の階層構造を有する操作メニューの階層構造の一例を示した図である。なお、こ
こでは映像情報に対応した操作メニューが複数の階層構造を有しているものとして説明す
る。
【００５３】
映像情報に対応した操作メニューの階層構造は、次ボタンの入力により順次切り替わる
Ａ〜Ｃの３つのメニュー階層から構成されており、各メニュー階層毎の操作ボタンの累計
操作回数が操作頻度情報として操作メニュー情報記憶部１２Ａに記録されるようになって
いる。
【００５４】
メインマイコン１１Ａが、映像再生中にタッチパネル２３がタッチ操作されたことを検
出すると、再生されているデータが映像情報である（すなわち、映像再生中である）と判
別し、操作メニュー情報記憶部１２Ａに記憶されている映像情報に対応した操作メニュー
を読み出し、記録されている操作頻度情報に基づいて、最も累計操作回数の多い階層の操
作メニューを第１層目に表示させるように表示コントローラを制御して表示ディスプレイ
に表示させるようになっている。例えば、Ａ、Ｂ、Ｃの各メニュー階層における累計操作
回数が、順に１５回、１０回、２０回であった場合、図５に示したように、Ｃ層の操作メ
ニューが第１層目に表示されるようになっている。
【００５５】
すなわち、初期設定では、Ａ層の操作メニューが第１層目に表示されるようになってい
るが、使用されている間にＣ層の操作メニューの操作頻度が高くなると、自動的にＣ層の
操作メニューを第１層目に表示させ得るようになっており、ユーザが良く使用する操作メ
ニューから表示させ得るようになっている。
【００５６】
次に実施の形態（２）に係るディスク再生装置１０Ａにおけるメインマイコン１１Ａの
行う操作メニュー表示処理動作を図６に示したフロ−チャ−トに基づいて説明する。
まずステップＳ１１では、タッチパネル２３へのタッチ操作が検出されたか否かを判断
し、タッチ操作が検出されていないと判断すればステップＳ１１に戻る一方、タッチ操作
が検出されたと判断すればステップＳ１２に進む。
【００５７】
まずステップＳ１２では、ディスク２０から読み出したデータに基づいて、再生されて
いるデータを判別し、再生されているデータが映像情報である（すなわち、映像再生画面
が表示されている）と判断すればステップＳ１３に進む。ステップＳ１３では、映像画面
用の操作メニューを操作メニュー情報記憶１２Ａから読み出し、ステップＳ１４に進む。
ステップＳ１４では、操作メニューが複数階層を有するものか否かを判断し、複数階層を
有するものであると判断すればステップＳ１５に進む。
【００５８】
ステップＳ１５では、記録された操作頻度情報に基づいて、操作頻度の高い操作ボタン
を含む階層の操作メニューを判別する処理を行い、その後ステップＳ１６に進む。ステッ
プＳ１６では、判別された最も操作頻度の高い操作ボタンを含む階層の操作メニューを第
１層目の操作メニューとして表示させる処理を行い、その後処理を終了する。
【００５９】
一方、ステップＳ１４において、操作メニューが複数階層を有するものではないと判断
すればステップＳ１８に進み、単階層からなる操作メニューをディスプレイ２２に表示さ
せる処理を行い、その後処理を終了する。
【００６０】
また、一方ステップＳ１２において、再生されているデータがメニュー情報である（す
なわち、ＤＶＤメニュー画面が表示されている）と判断すればステップＳ１８に進む。ス
テップＳ１８では、図２（ａ）に示したＤＶＤメニュー画面用の操作メニューをディスプ
レイ２２に表示させる処理を行い、その後処理を終了する（なお、この場合、ＤＶＤメニ
ュー画面用の操作メニューは単階層で構成されているものとし、複数階層で構成されてい
る場合は、ステップＳ１４〜Ｓ１７までと同様の処理を行うようにすれば良い）。
【００６１】
上記実施の形態（２）に係るディスク再生装置１０Ａによれば、タッチパネル２３への
タッチ操作が検出された場合に、再生されているデータの種別が判断されるので、タッチ
パネル２３へのタッチ操作が検出された場合をユーザが操作メニューを必要としている時
とみなして、前記データの種別に対応した操作メニューを表示させることができ、ユーザ
の必要性に応じた操作メニューの表示を行うことができる。
【００６２】
また、操作メニュー情報記憶部１２Ａに記録された操作履歴情報に基づいて、操作頻度
の高い操作ボタンを含む操作メニューが優先して表示されるので、データの種別に応じた
操作メニューが、複数の階層構造を有していたとしても、ユーザが良く使用する操作ボタ
ンを含む操作メニューを第１層目に表示させることができ、操作メニューの操作性の向上
を図ることができる。
【００６３】
次に実施の形態（３）に係るディスク再生装置について説明する。但し実施の形態（３
）に係るディスク再生装置１０Ｂの構成については、メインマイコン１１Ｂと、操作メニ
ュー情報記憶部１２Ｂとを除いて図１に示したディスク再生装置１０と同様であるため、
異なる機能を有するメインマイコン１１Ｂと、操作メニュー情報記憶部１２Ｂとには異な
る符号を付して、その他の構成部品の説明をここでは省略する。
【００６４】
実施の形態（１）に係るディスク再生装置１０では、ＤＶＤメニュー画面の選択ボタン
の選択操作を、画面下部に表示させた操作メニューの操作ボタンで行うようになっている
が、実施の形態（３）に係るディスク再生装置１０Ｂでは、ＤＶＤメニュー画面が表示さ
れた場合に前記操作メニューを表示させるのではなく、タッチパネル２３を介してＤＶＤ
メニュー画面の選択ボタンを直接選択させるようになっている。
【００６５】
タッチパネル２３は、タッチされた位置を検出するとともに、押圧強度を検出すること
ができるようになっており、２枚の向かい合う透明な抵抗層からなる感圧式のタッチパネ
ルが２重構造で、上部のパネルで弱くタッチされたことを検出し、下部のパネルで強くタ
ッチされたことが検出される構造になっており、タッチパネル２３により位置検出手段と
押圧強度検出手段とが構成されている。
【００６６】
メインマイコン１１Ｂは、タッチパネル２３で検出された位置情報（タッチされた位置
の座標情報）と押圧情報（上部パネルのタッチ検出情報、又は、上部及び下部パネルのタ
ッチ検出情報）とを取得する（位置・押圧情報取得手段）と、再生されているデータの種
別を判別する処理を行い、前記データの種別がメニュー情報、すなわちＤＶＤメニュー画
面が表示されていると判別すると、取得した位置情報と、ＤＶＤメニュー画面の選択ボタ
ンの配置情報（配置座標情報）とに基づいて、タッチパネル２３を介して選択された選択
ボタンを判別する処理（選択ボタン判別手段）を行うようになっている。なお、ＤＶＤメ
ニュー画面の選択ボタンの配置情報は、ディスク２０から読み取ったデータに含まれてい
る。
【００６７】
また、メインマイコン１１Ｂは、押圧情報に基づいて、選択された選択ボタンの選択位
置を移動させるか、前記選択ボタンを確定させるかを判断する、すなわち上部パネルのタ
ッチ検出情報のみ検出されたか、上部及び下部パネルのタッチ検出情報が検出されたかを
判断し、上部パネルのタッチ検出情報のみ検出されたと判断すると、選択ボタンのハイラ
イト表示を移動させる処理を行う一方、上部及び下部パネルのタッチ検出情報が検出され
たと判断すれば、選択された選択ボタンの内容を実行する処理を行うようになっている。
【００６８】
また、メインマイコン１１Ｂは、前記データの種別が映像情報、すなわち映像再生画面
が表示されていると判別すると、図２（ｂ）に示したような映像情報に応じた操作メニュ
ーを表示させる処理（操作メニュー表示手段）を行うようになっており、ＤＶＤメニュー
画面が表示された場合にのみ、タッチパネル２３を介した選択ボタンの直接選択が可能と
なっている。
【００６９】
また、操作メニュー情報記憶部１２Ｂには、ディスク２０に格納されている映像情報に
応じた操作メニューの情報（映像再生画面用の操作メニュー）が記憶されるようになって
いる。
【００７０】
次に、実施の形態（３）に係るディスク再生装置１０Ｂの動作について説明する。図７
は、ディスク再生装置１０ＢにおけるＤＶＤメニュー画面の表示状態を示す説明図である
。図２（ａ）に示した画面表示例と異なる点は、図７では、画面下部に操作メニューが表
示されていない点であり、タッチパネル２３を介してメニュー画面の選択ボタンの操作が
可能となっている。また、選択ボタンをタッチパネル２３を介して弱くタッチすると、ハ
イライト表示を移動させることができ、選択ボタンをタッチパネル２３を介して強くタッ
チすると、タッチした選択ボタンを確定させて、該選択ボタンの内容に移るようになって
いる。
【００７１】
次に実施の形態（３）に係るディスク再生装置１０Ｂにおけるメインマイコン１１Ｂの
行う操作メニュー表示処理動作を図８に示したフロ−チャ−トに基づいて説明する。
まずステップＳ２１では、タッチパネル２３から位置情報と押圧情報とを取得したか否
かを判断し、これら情報を取得していないと判断すればステップＳ２１に戻る一方、これ
ら情報を取得したと判断すればステップＳ２２に進む。
【００７２】
ステップＳ２２では、ディスク２０から読み出したデータに基づいて、再生されている
データを判別し、再生されているデータがメニュー情報である（すなわち、ＤＶＤメニュ
ー画面が表示されている）と判断すればステップＳ２３に進む。
【００７３】
ステップＳ２３では、取得した位置情報と、ＤＶＤメニュー画面の選択ボタンの配置情
報とに基づいて、選択された選択ボタンを判別する処理を行い、その後ステップＳ２４に
進む。
【００７４】
ステップＳ２４では、押圧情報に基づいて、判別された選択ボタンの選択位置（ハイラ
イト表示）の移動操作か否か（すなわち、前記押圧情報が上部パネルからのタッチ検出情
報か否か）を判断し、移動操作ではないと判断すればステップＳ２６に進む一方、移動操
作であると判断すればステップＳ２５に進む。ステップＳ２５では、ハイライト表示を判
別された選択ボタンに移動させる処理を行い、その後ステップＳ２６に進む。
【００７５】
ステップＳ２６では、判別された選択位置の確定操作か否か（すなわち、前記押圧情報
が上部及び下部パネルからのタッチ検出情報か否か）を判断し、確定操作ではないと判断
すれば処理を終了する一方、確定操作であると判断すればステップＳ２７に進む。ステッ
プＳ２７では、選択された選択ボタンの確定処理、すなわち、選択された選択ボタンの内
容を実行する処理を行い、その後処理を終了する。
【００７６】
一方、ステップＳ２２において、再生されているデータが、映像情報である（すなわち
、映像再生画面が表示されている）と判断すればステップＳ２８に進む。ステップＳ２８
では、映像情報に応じた操作メニューを表示させる処理を行い、その後処理を終了する。
【００７７】
上記実施の形態（３）に係るディスク再生装置１０Ｂによれば、タッチパネル２３から
位置情報を取得して、該位置情報と選択ボタンの配置情報とに基づいて、選択された選択
ボタンが判別されるので、ディスプレイ２２に表示されたＤＶＤメニュー画面の選択ボタ
ンをタッチパネル２３を通じて直接選択することができ、ＤＶＤメニュー画面の操作性を
さらに向上させることができる。
【００７８】
また、タッチパネル２３から押圧情報を取得し、該押圧情報に基づいて、ＤＶＤメニュ
ー画面の選択ボタンの選択位置を移動させるか、前記選択ボタンを確定させるかが判断さ
れるので、タッチパネル２３を介して直接前記選択ボタンの選択位置（ハイライト表示）
を移動させたり、前記選択ボタンを確定させることができ、これらの操作を簡単かつ確実
に行うことができ、ＤＶＤメニュー画面における操作性を向上させることができる。
【００７９】
また、ＤＶＤメニュー画面が表示されていないと判断された場合（すなわち、映像再生
画面が表示されていると判断された場合）には、映像再生画面用の操作メニュ−が表示さ
れるので、該操作メニュ−を通じて映像再生中の各種操作を行うことができ、ＤＶＤメニ
ュー画面以外の画面における操作も前記操作メニューを通じて支障なく行うことができる
。
【００８０】
なお、上記実施の形態（３）に係るディスク再生装置１０Ｂでは、タッチパネル２３を
介してＤＶＤメニュー画面の選択ボタンを選択させるようになっているが、別の実施の形
態では、画面上における位置を表示するカーソル（位置表示手段）と、カーソルを移動さ
せたり、カーソルの位置を確定させるためのマウスなどのポインティングデバイス（移動
・確定操作手段）とを使用して、ポインティングデバイスからカーソルを移動させた操作
情報や、カーソルの位置を確定させた操作情報を取得し、該移動・確定操作情報に基づい
て、選択ボタンの選択位置を移動させるか、前記選択ボタンを確定させるかを判断させる
ようにようにしてもよい。
【産業上の利用可能性】
【００８１】
本発明に係る再生装置は、車載用や携帯用のディスク再生装置や、パソコンに内蔵され
たディスク再生装置などに適用することができ、ディスク再生時等における操作性を向上
させることができる。                                                            
【図面の簡単な説明】
【００８２】
【図１】本発明の実施の形態（１）に係るディスク再生装置の要部を概略的に示したブロック図である。
【図２】画面に表示された操作メニューの表示形態を説明するための図であり、（ａ）は、ＤＶＤメニュー画面における操作メニューの画面表示例、（ｂ）は、映像再生画面における操作メニューの画面表示例を示している。
【図３】実施の形態（１）に係るディスク再生装置におけるメインマイコンの行う操作メニューの表示処理動作を示したフロ−チャ−トである。
【図４】複数の階層構造を有する操作メニューの階層構造の一例を示した図である。
【図５】複数の階層構造を有する操作メニューの表示形態を説明するための図である。
【図６】実施の形態（２）に係るディスク再生装置におけるメインマイコンの行う操作メニューの表示処理動作を示したフロ−チャ−トである。
【図７】ＤＶＤメニュー画面の表示形態を説明するための図である。
【図８】実施の形態（３）に係るディスク再生装置におけるメインマイコンの行う操作メニューの表示処理動作を示したフロ−チャ−トである。
【図９】（ａ）〜（ｃ）は、タッチパネルを使用した従来のＤＶＤメニュー画面の操作方法を説明するための画面表示例である。
【符号の説明】
【００８３】
１０、１０Ａ、１０Ｂ  ディスク再生装置
１１、１１Ａ、１１Ｂ  メインマイコン
１２、１２Ａ、１２Ｂ  操作メニュー情報記憶部
１３  ディスクコントローラ
１４  ＡＶデコーダ
１６  表示コントローラ
２０  ディスク
２２  ディスプレイ
２３  タッチパネル